(57)【要約】【課題】構成部品点数を削減することで製作コストを低減することを図った自動販売機用商品選択スイッチを提供する。【解決手段】商品選択スイッチ２０は、販売機本体の展示用物品に対応してコネクタ２５を背面に有するベース２１の前面に回路基板２６を搭載している。回路基板２６は、端子２５ａを実装し、端子２５ａの上側又は下側にスイッチ素子２７を実装している。押釦孔２２ａは、スイッチ素子２７の中心に対して左右に均等な位置に中心を有し、押釦２３は、スイッチ素子２７の中心Ｏ１から上側の端部までの距離Ｌ１、及びスイッチ素子２７の中心から下側の端部までの距離Ｌ２が互いに異なる第１及び第２の操作面２４ａ，２４ｂを有している。第１及び第２の操作面２４ａ，２４ｂのそれぞれの押しストロークＳ１，Ｓ２に差を持たせるための操作規制部が備えられている。【選択図】図３
2014127384.tif 000002
【特許請求の範囲】
【請求項１】
販売機本体の展示用物品に対応してコネクタを背面に有するベースと、
前記ベースの前面に搭載され、前記コネクタの端子を実装し、前記端子の上側又は下側にスイッチ素子を実装してなる回路基板と、
前記ベースに取り付けられ、前記スイッチ素子の中心に対して左右に均等な位置に中心をもつ押釦孔を有するケースと、
前記押釦孔に押し操作自在に収容され、前記スイッチ素子の中心から上側の端部までの距離、及び前記スイッチ素子の中心から下側の端部までの距離が互いに異なる第１及び第２の操作面を有する押釦と、
前記スイッチ素子に対向して設けられ、前記押釦の押し操作に連動して前記スイッチ素子を作動するスイッチ作動部と、
前記第１の操作面及び前記第２の操作面のそれぞれの押し操作による押しストロークに差を持たせるための操作規制部と、
を備えてなることを特徴とする自動販売機用商品選択スイッチ。
【請求項２】
前記操作規制部は、前記第１の操作面又は前記第２の操作面の押し操作により、前記スイッチ作動部が前記スイッチ素子をオンさせたときに加わる力を規制することを特徴とする請求項１記載の自動販売機用商品選択スイッチ。
【請求項３】
前記操作規制部は、前記第１の操作面の押しストローク領域と、前記第２の操作面の押しストローク領域とに設けられてなることを特徴とする請求項１又は２記載の自動販売機用商品選択スイッチ。
【請求項４】
前記操作規制部は、前記押釦の外周縁から外側に突出し、前記押釦孔の周辺部に接離可能に支持された鍔部により構成され、
前記鍔部の底面は、前記第１の操作面側から前記第２の操作面側に向けて前方へ傾斜するテーパ面に形成されてなることを特徴とする請求項１〜３のいずれかに記載の自動販売機用商品選択スイッチ。
【請求項５】
前記スイッチ素子と、前記押釦と、前記スイッチ作動部とを一組として複数組を前記ベース及び前記ケースの間に形成された空間に配置されてなることを特徴とする請求項１記載の自動販売機用商品選択スイッチ。
【請求項６】
前記スイッチ素子は、タクトスイッチであることを特徴とする請求項１記載の自動販売機用商品選択スイッチ。
【発明の詳細な説明】
【技術分野】
【０００１】
本発明は、自動販売機に用いられる商品選択スイッチに関する。
【背景技術】
【０００２】
従来の自動販売機用商品選択スイッチの一例としては、各種の飲料を販売する自動販売機に適用された商品選択スイッチユニットが提案されている（例えば、特許文献１参照。）。
【０００３】
上記特許文献１記載の従来の商品選択スイッチユニットは、複数の商品サンプルのそれぞれに対応して回路基板に実装されたコネクタの端子を配置するとともに、その端子の左右両側にスイッチ素子を配置している。このスイッチ素子は、押釦の中心から均等な位置に配置されており、押釦の片押し操作に対応する構成となっている。
【先行技術文献】
【特許文献】
【０００４】
【特許文献１】特開２００１−５２２４２号公報
【発明の概要】
【発明が解決しようとする課題】
【０００５】
上記特許文献１に記載された従来の商品選択スイッチは、１個の押釦ごとに複数のスイッチ素子を必要とするので、構成部品点数の増加と相まって製作コストが高騰するという問題点があった。
【０００６】
本発明の目的は、構成部品点数を削減することで製作コストを低減することを図った自動販売機用商品選択スイッチを提供することにある。
【課題を解決するための手段】
【０００７】
［１］本発明は、販売機本体の展示用物品に対応してコネクタを背面に有するベースと、前記ベースの前面に搭載され、前記コネクタの端子を実装し、前記端子の上側又は下側にスイッチ素子を実装してなる回路基板と、前記ベースに取り付けられ、前記スイッチ素子の中心に対して左右に均等な位置に中心をもつ押釦孔を有するケースと、前記押釦孔に押し操作自在に収容され、前記スイッチ素子の中心から上側の端部までの距離、及び前記スイッチ素子の中心から下側の端部までの距離が互いに異なる第１及び第２の操作面を有する押釦と、前記スイッチ素子に対向して設けられ、前記押釦の押し操作に連動して前記スイッチ素子を作動するスイッチ作動部と、前記第１の操作面及び前記第２の操作面のそれぞれの押し操作による押しストロークに差を持たせるための操作規制部と、を備えてなることを特徴とする自動販売機用商品選択スイッチにある。
【０００８】
［２］上記［１］記載の前記操作規制部は、前記第１の操作面又は前記第２の操作面の押し操作により、前記スイッチ作動部が前記スイッチ素子をオンさせたときに加わる力を規制することを特徴とする。
【０００９】
［３］上記［１］又は［２］記載の前記操作規制部は、前記第１の操作面の押しストローク領域と、前記第２の操作面の押しストローク領域とに設けられてなることを特徴とする。
【００１０】
［４］上記［１］〜［３］のいずれかに記載の前記操作規制部は、前記押釦の外周縁から外側に突出し、前記押釦孔の周辺部に接離可能に支持された鍔部により構成され、前記鍔部の底面は、前記第１の操作面側から前記第２の操作面側に向けて前方へ傾斜するテーパ面に形成されてなることを特徴とする。
【００１１】
［５］上記［１］記載の前記スイッチ素子と、前記押釦と、前記スイッチ作動部とを一組として複数組を前記ベース及び前記ケースの間に形成された空間に配置されてなることを特徴とする。
【００１２】
［６］上記［１］記載の前記スイッチ素子は、タクトスイッチであることを特徴とする。
【発明の効果】
【００１３】
本発明の自動販売機用商品選択スイッチによると、構成部品点数を削減することが可能となり、製作コストを低減することができる。
【図面の簡単な説明】
【００１４】
【図１】本発明の代表的な実施の形態に係る商品選択スイッチを備えた自動販売機を模式的に示す正面図である。
【図２】（ａ）は実施の形態に係る商品選択スイッチの正面図であり、（ｂ）は上面図である。
【図３】図２（ａ）のＩＩＩ−ＩＩＩ線矢視断面拡大図である。
【図４】（ａ）は実施の形態に係る押釦の正面図であり、（ｂ）は上面図である。
【図５】図４（ａ）のＶ−Ｖ線矢視断面図である。
【発明を実施するための形態】
【００１５】
以下、本発明の好適な実施の形態を添付図面に基づいて具体的に説明する。
【００１６】
なお、以下の説明において、商品選択スイッチの正面側を前面部、背面側を背面部といい、商品選択スイッチを正面からみて上下及び左右という。また、複数の商品選択スイッチのそれぞれの形状、構造及び作動等は同一である。そのため、１つの商品選択スイッチのみについて説明し、他の商品選択スイッチについての説明は省略する。
【００１７】
（自動販売機の全体構成）
図１において、全体を示す符号１は、各種の飲料を販売する自動販売機の一例を例示している。この自動販売機１は、上下方向に長い直方型の筐体からなる販売機本体２を備えている。
【００１８】
この販売機本体２は、図１に示すように、前方に開口する箱体２ａと、その箱体２ａの前方開口部を開閉する扉体２ｂとにより構成されている。この扉体２ｂの前面上部は、前面パネル３を備えている。前面パネル３の材質は、例えば透明なアクリル板等の樹脂材料からなる。
【００１９】
この扉体２ｂの前面下部には、図１に示すように、紙幣を挿入・排出する紙幣入出口４と、硬貨を投入する硬貨投入口５と、紙幣又は硬貨を返却する返却レバー６とが配設されている。
【００２０】
この扉体２ｂの前面下部には更に、図１に示すように、釣銭切れ表示や挿入された紙幣又は投入された硬貨の金額の表示を行う金額表示器７と、釣銭を返却する釣銭返却口８と、商品を取り出す商品取出口９と、扉体２ｂの開閉をロックするドアロック１０とが配設されている。なお、符号１１は、広告スペースである。
【００２１】
この前面パネル３の背面部には、図１に示すように、金属板材からなる背面パネル１２が配設されている。前面パネル３の背面部及び背面パネル１２の間に形成された空間は、商品見本展示室とされている。この商品見本展示室には、下方及び前方に開口した展示筐体を有する商品見本展示台が上段、中断、及び下段の三段一列に設置されている。
【００２２】
この商品見本展示台には、図１に示すように、展示用物品である１０個の商品見本１３，…，１３が一列に陳列されている。商品見本展示台の材質は、例えば透明なアクリル板等の樹脂材からなる。この商品見本１３に対応して上段、中断、及び下段の三段一列には、商品選択スイッチ２０（以下単に、「スイッチ２０」という。）が配設されている。
【００２３】
上記のように構成された自動販売機１の全体構成は、スイッチ２０が前面パネル３の前面部に組み込まれた従来の販売機本体２と同様の仕様を有する自動販売機の一構成例を示している。従って、その形状や構造などは、特に、図示例に限定されるものではない。
【００２４】
（商品選択スイッチの外観構成）
この実施の形態に係る特徴部を構成するスイッチ２０の外観は、図２（ａ）及び（ｂ）に示すように、左右に長い平面矩形状のベース２１と、そのベース２１に取り付けられる平面矩形状のケース２２と、そのケース２２の前面部に貫通して形成された楕円形状の押釦孔２２ａを介してプッシュ操作可能に支持された押釦２３との三つの部材により主に構成されている。
【００２５】
このスイッチ２０は、図２（ａ）及び（ｂ）に示すように、ケース２２の前面部に複数の押釦２３，…，２３を左右一列に配列したスイッチユニットとして構成されている。このケース２２には、商品見本１３のそれぞれに対応付けられて複数の押釦孔２２ａ，…，２２ａが穿設されている。
【００２６】
このベース２１及びケース２２は、例えばアクリル系樹脂あるいはポリカーボネイト系樹脂などの着色された樹脂で形成されている。一方、押釦２３は、例えば操作面２４がレンズ状に形成されたアクリル系樹脂あるいはポリカーボネイト系樹脂などの透光性樹脂材料により形成されている。
【００２７】
このベース２１は、販売機本体２の背面パネル１２に着脱可能に取り付けられる。ベース２１の背面部には、図２（ｂ）及び図３に示すように、販売機本体２の前面パネル３に締付固定するための筒状の取付ボス２１ａが隣り合う押釦２３の中間に対応して突設されている。この取付ボス２１ａは、背面パネル１２に穿設された図示しない固定用孔に嵌挿され、図示しないネジにより締付固定される。
【００２８】
このベース２１の背面部には更に、図２（ｂ）及び図３に示すように、背面部側に開口した筒状のコネクタ取付ボス２１ｂが取付ボス２１ａの中心と同一直線上に突設されている。このコネクタ取付ボス２１ｂには、入出力用のピン端子２５ａを有するコネクタ２５が押釦２３のそれぞれに対応付けられて取り付けられている。このコネクタ２５は、販売機本体２の図示しない中央制御部に接続された外部コネクタと電気的に接続される。
【００２９】
このケース２２は、図２（ｂ）及び図３に示すように、ベース２１に固着一体化されている。このベース２１に対するケース２２の結合には、ケース２２を液密かつ気密に固着する構造であればよく、接着材や溶着による結合方法が採用されている。
【００３０】
一方、押釦２３は、図３、図４（ａ）及び（ｂ）に示すように、楕円の湾曲面形状をなす上板部２３ａと、上板部２３ａの外周縁から背面側に延びる環状の側板部２３ｂと、側板部２３ｂの外周縁から水平に張り出した環状の鍔部２３ｃとを有しており、背面側に開口したキャップ形状に形成されている。
【００３１】
この押釦２３は、図３に示すように、ケース２２の押釦孔２２ａの背面側開口縁部である周辺部２２ｂに鍔部２３ｃを接離可能に当接した状態で配置されており、操作面２４を押し操作自在に露出させている。
【００３２】
（商品選択スイッチの内部構成）
このベース２１とケース２２とを互いに組み付けることで形成された内部空間には、図３に示すように、ベース２１の前面部に搭載された回路基板２６が収容されている。この回路基板２６の前面部には、押釦２３の押し操作により作動するスイッチ素子であるタクトスイッチ２７が搭載されるとともに、販売機本体２の稼動状態等を表す表示部を照光する光源である発光ダイオード（チップＬＥＤ）２８や図示しないチップ抵抗などの実装部品が搭載されている。
【００３３】
この回路基板２６の背面部には、図３に示すように、ベース２１のコネクタ取付ボス２１ｂに嵌め込まれたコネクタ２５のピン端子２５ａが実装されている。図示例では、ピン端子２５ａが回路基板２６の実装面に対して直交する方向から相手側コネクタが結合される垂直取付型のコネクタであるトップ型コネクタが採用されている。
【００３４】
このケース２２の押釦孔２２ａには、図３に示すように、回路基板２６を液密に覆う弾性カバー２９により押釦２３が弾性的に支持されている。この弾性カバー２９は、例えばシリコーンゴムなどの弾性変形可能な筒状部材により構成されている。
【００３５】
この弾性カバー２９は、図３に示すように、押釦作動体として押釦２３の内周面に組み付ける周面部２９ａと、周面部２９ａの先端周縁部から斜め外方に張り出した環状のスカート部２９ｂと、スカート部２９ｂの先端周縁部から水平に張り出した環状の座部２９ｃとを有している。
【００３６】
この弾性カバー２９には、図３に示すように、柱状のスイッチ作動部２９ｄがタクトスイッチ２７に対向して突設されている。このタクトスイッチ２７は、押釦２３の押し操作ストロークに応じた弾性カバー２９のスカート部２９ｂの弾性変形に伴いスイッチ作動部２９ｄを押し下げることでオン操作される。一方、押釦２３の押し操作を解除したとき弾性カバー２９のスカート部２９ｂの弾性復帰力をもってスイッチ作動部２９ｄを押し上げることで、タクトスイッチ２７がオフ操作される。
【００３７】
ところで、押釦２３の中心Ｏ２は、図３及び図４（ａ）に示すように、回路基板２６のピン端子２５ａの実装領域に対向して配置されている。そのため、タクトスイッチ２７やスイッチ作動部２９ｄの配置位置がピン端子２５ａによって制限される。
【００３８】
そこで、この実施の形態に係るスイッチ２０は、図３及び図４（ａ）に示すように、押釦２３の中心Ｏ２を通る上下方向直線上の上部位置にタクトスイッチ２７及びスイッチ作動部２９ｄの中心Ｏ１を配置しており、ケース２２の押釦孔２２ａがタクトスイッチ２７の中心Ｏ１から偏心方向に延びた構成となっている。
【００３９】
一方、押釦孔２２ａの中心Ｏ２は、図３及び図４（ａ）に示すように、ピン端子２５ａの実装領域に合わせた押釦２３の中心Ｏ２と一致している。この押釦２３は、タクトスイッチ２７の中心Ｏ１から偏心方向の上端部までの距離Ｌ１が短い第１の操作面２４ａと、タクトスイッチ２７の中心Ｏ１から反対側の下端部までの距離Ｌ２が長い第２の操作面２４ｂとを有している。
【００４０】
（操作規制部の構成）
上記のように構成されたスイッチ２０によれば、テコの原理により、第１の操作面２４ａの上端部又は第２の操作面２４ｂの下端部が支点となり、第２の操作面２４ｂ又は第１の操作面２４ａが力点となり、操作面２４が回路基板２６に対して傾きながら押し込まれるスイッチ作動部２９ｄが作用点となる。
【００４１】
タクトスイッチ２７の中心Ｏ１から近い位置に配置された第１の操作面２４ａでは、タクトスイッチ２７の中心Ｏ１から遠い位置に配置された第２の操作面２４ｂよりもタクトスイッチ２７の作動距離が短くなることから、タクトスイッチ２７に大きな押し操作力が加わり易い。第１の操作面２４ａをタクトスイッチ２７の作動距離だけ押し込むことは困難であり、ストローク範囲よりも大きなオーバーストロークによりタクトスイッチ２７を破損してしまう場合がある。
【００４２】
一方、タクトスイッチ２７の中心Ｏ１から遠い位置に配置された第２の操作面２４ｂでは、タクトスイッチ２７の中心Ｏ１から近い位置に配置された第１の操作面２４ａよりもタクトスイッチ２７の作動距離が長くなることから、タクトスイッチ２７に対する押しストロークが不足し易い。スイッチ作動部２９ｄによりタクトスイッチ２７が押し込まれる前に、第２の操作面２４ｂ側の鍔部２３ｃが弾性カバー２９の対向面に当接して動かなくなり、スイッチング作用が生じない場合がある。
【００４３】
従って、第１の操作面２４ａの押し操作による押しストローク範囲を越えないように押しストロークＳ１を確保するとともに、第２の操作面２４ｂの押し操作による押しストローク範囲が不足しないように押しストロークＳ２を確保することが肝要である。
【００４４】
この実施の形態に係るスイッチ２０の最も主要な特徴部は、図３及び図４（ａ）に示すように、タクトスイッチ２７の中心Ｏ１から偏心方向の距離Ｌ１が短い第１の操作面２４ａの押しストローク領域と、タクトスイッチ２７の中心Ｏ１から偏心方向の距離が長い第２の操作面２４ｂの押しストローク領域とに操作規制部を備えることにある。
【００４５】
第１の操作面２４ａの押しストローク領域と第２の操作面２４ｂの押しストローク領域とにおいて、スイッチ作動部２９ｄが弾性カバー２９を弾性変形させる位置と、スイッチ作動部２９ｄが弾性カバー２９の弾性力に抗してタクトスイッチ２７をオンさせた位置との間の押釦２３の押しストロークが規制される。
【００４６】
この操作規制部の代表的な一例としては、押釦２３の鍔部２３ｃによって操作規制部が構成される。この鍔部２３ｃの背面側となる底面は、図４（ａ）及び図５に示すように、第１の操作面２４ａ側から第２の操作面２４ｂ側に向けて前方へ傾斜するテーパ面２３ｄとされている。
【００４７】
このテーパ面２３ｄを介して第２の操作面２４ｂ側の鍔部２３ｃは、図３に示すように、弾性カバー２９の座部２９ｃに対して第１の操作面２４ａ側の鍔部２３ｃよりも高い位置に設定されている。この高低差は、特に規定するものではないが、約０．５ｍｍ程度に設定されている。
【００４８】
この押釦２３の第１の操作面２４ａ側における鍔部２３ｃは、鍔部の底面が同一水平面上に形成された従来の押釦の鍔部よりも弾性カバー２９の座部２９ｃに対する高さを高く設定している。第１の操作面２４ａの押し操作による押しストローク範囲を越えない所定の距離となる押しストロークＳ１が確保されており、スイッチ作動部２９ｄがタクトスイッチ２７をオンさせたときに加わる力が規制されている。
【００４９】
一方、押釦２３の第２の操作面２４ｂ側における鍔部２３ｃは、弾性カバー２９の座部２９ｃに対する高さを第１の操作面２４ａ側の鍔部２３ｃよりも高く設定している。第２の操作面２４ｂの押し操作による押しストローク範囲が不足しない所定の距離となる押しストロークＳ２が確保されており、スイッチ作動部２９ｄがタクトスイッチ２７をオンさせたときに加わる力が規制されている。
【００５０】
スイッチ作動部２９ｄが弾性カバー２９を弾性変形させる位置と、スイッチ作動部２９ｄが弾性カバー２９の弾性力に抗してタクトスイッチ２７をオンさせた位置との間には所定の距離が確保されることから、押釦２３のいずれの方向にある操作面２４を押しても、タクトスイッチ２７に大きな押し操作力が加わることを規制することが可能となる。
【００５１】
この操作規制部としては、タクトスイッチ２７の操作力や操作ストロークなどの特性、弾性カバー２９の材料、形状やサイズなどの特性、並びにタクトスイッチ２７及び弾性カバー２９の設置部位などを適切に設定することで最適なストローク規制機能が得られる。
【００５２】
［操作規制部の他の構成］
押釦２３の第１の操作面２４ａと第２の操作面２４ｂとの押しストローク領域に備えられていれば、操作規制部の配置位置は限定されるものではない。操作規制部の他の一例としては、例えばケース２２の押釦孔２２ａの周辺部２２ｂに操作規制部を設定することができる。
【００５３】
押釦２３の第１の操作面２４ａに対応する鍔部２３ｃに当接する押釦孔２２ａの周辺部２２ｂ側を第２の操作面２４ｂに対応する鍔部２３ｃに当接する押釦孔２２ａの周辺部２２ｂ側に向けて前方へ傾斜するテーパ面を形成する構成であっても構わない。
【００５４】
第１の操作面２４ａの鍔部２３ｃと第２の操作面２４ｂの鍔部２３ｃとのそれぞれの前面は、押釦孔２２ａの周辺部２２ｂのテーパ面と合致するテーパ状に形成される。これにより、第１の操作面２４ａと第２の操作面２４ｂとの押し操作による押しストロークＳ１，Ｓ２に差を持たせることができる。
【００５５】
（実施の形態の効果）
以上のように構成された実施の形態に係るスイッチ２０は、上記効果に加えて、次の効果が得られる。
【００５６】
（１）既存のスイッチ構成部品以外の格別な部材を用いることなく、簡単な構成をもって操作規制機能が効果的に得られる。
（２）既存のスイッチ構成部品以外の格別な操作規制部材を不要としていることから、操作規制部材を設けるための体格の増大を抑制することができるようになり、スイッチ２０の構造や形態に阻害されることもない。
（３）タクトスイッチ２７やスイッチ作動部２９ｄの配置位置が回路基板２６のピン端子２５ａの実装領域によって制限されない。
（４）タクトスイッチ２７及びスイッチ作動部２９ｄの配置位置が回路基板２６のピン端子２５ａの実装領域によって制限されないことから、スイッチ２０のデザインの自由度を向上させることができる。
【００５７】
［他の変形例］
以上より、本発明に係るスイッチ２０の代表的な構成例を実施の形態、変形例、及び図示例を挙げて説明したが、上記実施の形態、変形例、及び図示例は特許請求の範囲に係る発明を限定するものではない。本発明の技術思想の範囲内において種々の構成が可能であり、例えば次に示すような他の変形例も可能である。
【００５８】
上記実施の形態及び図示例では、押釦２３の中心Ｏ２がタクトスイッチ２７の中心Ｏ１を通る上下方向直線上の下部位置に配置した構成を例示したが、これに限定されるものではない。押釦２３の中心Ｏ２がタクトスイッチ２７の中心Ｏ１を通る上下方向直線上の上部位置に配置した構成、及び押釦２３の中心Ｏ２がタクトスイッチ２７の中心Ｏ１を通る左右方向直線上の左部位置又は右部位置に配置した構成にも適用することができることは勿論である。
【００５９】
上記実施の形態及び図示例による弾性カバー２９に代えて、例えば押釦２３の背面部及び回路基板２６の間にコイルバネを配置してもよい。
【００６０】
上記実施の形態及び図示例では、弾性カバー２９に突出形成されたスイッチ作動部２９ｄを例示したが、押釦２３の背面部に突出形成されたスイッチ作動部によりタクトスイッチ２７を作動させる構成を採用することもできる。
【００６１】
たばこ等のパッケージ商品、缶又はペットボトル等に充填した飲料商品などの各種の自動販売機に効果的に適用することができることは勿論である。
【００６２】
以上の説明からも明らかなように、本発明に係る代表的な実施の形態、変形例及び図示例を例示したが、上記実施の形態、変形例及び図示例は特許請求の範囲に係る発明を限定するものではない。従って、上記実施の形態、変形例及び図示例の中で説明した特徴の組合せの全てが発明の課題を解決するための手段に必須であるとは限らない点に留意すべきである。
【符号の説明】
【００６３】
１…自動販売機、２…販売機本体、２ａ…箱体、２ｂ…扉体、３…前面パネル、４…紙幣入出口、５…硬貨投入口、６…返却レバー、７…金額表示器、８…釣銭返却口、９…商品取出口、１０…ドアロック、１１…広告スペース、１２…背面パネル、１３…商品見本、２０…商品選択スイッチ、２１…ベース、２１ａ…取付ボス、２１ｂ…コネクタ取付ボス、２２…ケース、２２ａ…押釦孔、２２ｂ…周辺部、２３…押釦、２３ａ…上板部、２３ｂ…側板部、２３ｃ…鍔部、２３ｄ…テーパ面、２４…操作面、２４ａ…第１の操作面、２４ｂ…第２の操作面、２５…コネクタ、２５ａ…ピン端子、２６…回路基板、２７…タクトスイッチ、２８…発光ダイオード、２９…弾性カバー、２９ａ…周面部、２９ｂ…スカート部、２９ｃ…座部、２９ｄ…スイッチ作動部、Ｌ１，Ｌ２…距離、Ｏ１，Ｏ２…中心、Ｓ１，Ｓ２…押しストローク
【図１】
2014127384.tif 000003
【図２】
2014127384.tif 000004
【図３】
2014127384.tif 000005
【図４】
2014127384.tif 000006
【図５】
2014127384.tif 000007